(57)【要約】【課題】誤操作により操作部がロックされても容易に解除することができるガスコンロを提供する。【解決手段】燃料供給装置の操作つまみ１４は連結部材２５の周囲を取り囲む中火ガイド９０を備える。中火ガイド９０は操作つまみ１４の後方に間隙を有して位置する。ロック部材６０は連結部材２５の下方に配置され、上方に突出するロック部６６を備える。ロック部６６は後方右斜め上方を向く傾斜面６７を備える。操作つまみ１４が待機位置にあるとき、ロック部６６は前後方向で間隙内に位置し、ロック部材６０をロック位置に移動してチャイルドロックを機能できる。燃料供給装置は操作つまみ１４の押込操作で点火と消火を行う。押込操作の過程で誤操作によりロック部材６０がロック位置に移動しても、操作つまみ１４と共に前方へ付勢される中火ガイド９０の傾斜部９６が傾斜面６７を前方へ押圧するので、分圧により、ロック部材６０は解除位置に移動できる。【選択図】図１０
2019039593.tif 000002
【特許請求の範囲】
【請求項１】
バーナが設けられる筐体と、
前記バーナに供給するガスが流通するガス流路、前記ガス流路を開閉する開閉弁、前記ガス流路を流通するガスの流量を調節する調節弁、及び、前記開閉弁の開閉操作と前記調節弁の調節操作を行う操作部を備え、前記筐体内の前部に配置される燃料供給装置と、
前記操作部に対する操作の規制と解除を行うロック部材と、
を備えたガスコンロであって、
前記燃料供給装置の前記操作部は、
回動操作によって前記調節弁を操作可能であり、１以上の付勢部材によって前方に付勢される操作つまみと、
前記操作つまみが前記筐体の前面よりも後方に押し込まれる押込操作がなされる度に、前記操作つまみが前記筐体の前面に対して突出する操作位置と、前記操作つまみの先端面が前記操作位置よりも前記筐体の前面の近くに位置する待機位置との間で、前記操作つまみを交互に移動させる機構であって、
前記操作つまみが前記待機位置にあるときに前記押込操作がなされた場合には、前記筐体の前面より後方に押し込まれた状態になった前記操作つまみを前記付勢部材により前方に付勢し、前記待機位置を経由して前記操作位置に移動させ、
前記操作つまみが前記操作位置にあるときに前記押込操作がなされた場合には、前記待機位置を経由して前記筐体の前面より後方に押し込まれた状態になった前記操作つまみを前記付勢部材により前方に付勢し、前記待機位置に移動させる
プッシュ・プッシュ機構と、
前記プッシュ・プッシュ機構に連動し、前記操作つまみが前記待機位置にある場合は、前記開閉弁が前記ガス流路を閉鎖した状態を維持し、前記操作位置にある場合には、前記開閉弁が前記ガス流路を開放した状態に維持する弁開閉機構と、
を備え、
前記操作部は、
前記操作つまみよりも小径で前後方向に延び、前記操作つまみを先端部に保持し、且つ前記操作つまみと共に前後方向に移動する軸部と、
前記操作つまみよりも後方で前記軸部の周方向の少なくとも一部にて径方向外向きに張り出して設けられ、前記軸部と共に前後方向に移動し、且つ前記操作つまみとの間に間隙を形成する張出部と、
を備え、
前記ロック部材は、
前記ロック部材を前後方向と直交する移動方向に移動する操作を行う移動部と、
前後方向において前記操作つまみが前記待機位置に位置する場合の前記間隙の位置に配置され、且つ前後方向の大きさが前記間隙の大きさよりも小さなロック部と、
を備え、
前記操作つまみが前記待機位置にある場合に、前記移動部の操作によって移動方向一方側の解除位置から移動方向他方側のロック位置に移動可能であり、
前記ロック部は、
後面に、前記軸部に近い側が遠い側よりも前方に位置する逃し傾斜面を有し、
前記ロック部材が前記ロック位置に位置する場合は、前記軸部に接近して前記張出部よりも前記軸部の径方向内側に位置し、且つ前記間隙内に進入した状態であり、
前記ロック部材が前記解除位置に位置する場合は、前記軸部から離間して前記張出部よりも前記軸部の径方向外側に位置し、且つ前記間隙内から離脱した状態であること
を特徴とするガスコンロ。
【請求項２】
前記操作つまみが前記操作位置にある場合、前記張出部は、移動方向において前記ロック部と前記軸部との間に位置することを特徴とする請求項１に記載のガスコンロ。
【請求項３】
前記張出部は、前面に、前記軸部に近い側が遠い側よりも前方に位置する押出し傾斜面を有し、
前記ロック部が前記間隙内に位置する場合、前記押出し傾斜面は前記逃し傾斜面に対向すること
を特徴とする請求項１又は２に記載のガスコンロ。
【請求項４】
前記燃料供給装置は複数あり、前記筐体の前部にて左右に並べて配置した場合において、
前記ロック部材は左右方向に移動可能に設けられ、隣り合う前記燃料供給装置の夫々の前記間隙に対応する２つの前記ロック部を備えたこと
を特徴とする請求項１から３のいずれかに記載のガスコンロ。
【発明の詳細な説明】
【技術分野】
【０００１】
本発明はガスコンロに関する。
【背景技術】
【０００２】
ガスコンロは、バーナにガスを供給する燃料供給装置を備える。例えば特許文献１に記載の燃焼量調整体は、回動操作可能な操作つまみをコンロ本体の前面よりも後方に押し込む押込操作が行われる度に点火・消火を交互に行うプッシュ・プッシュ機構を有する。具体的には、消火時に、操作つまみは先端面がコンロ本体の前面の近くに位置する待機位置にある。押込操作によって操作つまみが待機位置から後方に押し込まれると、その過程においてバーナへのガスの供給と点火が行われる。点火後、操作つまみはバネによりコンロ本体の前面から突出する操作位置に移動する。操作位置において、操作つまみは回動操作により、火力の調節が可能となる。押込操作によって操作つまみが操作位置から後方に押し込まれると、その過程においてバーナへのガスの供給が遮断される。操作つまみはバネにより待機位置に戻る。
【０００３】
特許文献１では、バーナへのガスの供給と遮断は、電磁弁を用いた電子制御によって行われる。このようなガスコンロに搭載されるチャイルドロック機能は、有効時に例えば電磁弁に通電しない制御を行うことによって、バーナへのガスの供給を遮断した状態にすることができる。
【０００４】
低コスト化を図るため、ガスの供給と遮断を電子制御で行う機能を省き、プッシュ・プッシュ機構に連動する弁によってガスの供給と遮断を機械的に行う燃料供給装置を作製する場合、電子制御によるチャイルドロック機構は使用できない。この場合、例えば、操作つまみの押込操作を機械的に制限するロック部を操作つまみの後側に挿入し、操作つまみを待機位置から後方に押し込めなくするチャイルドロック機構が考えられる。このような機械的なチャイルドロック機構は、バーナの使用時には作動しないようにする必要がある。例えば、操作つまみの後側に他部材を設け、ロック部の大きさを操作つまみと他部材の間隙の大きさに合わせて形成し、操作つまみが待機位置にありバーナが消火している場合にのみ、ロック部を間隙内に挿入できるようにするとよい。
【先行技術文献】
【特許文献】
【０００５】
【特許文献１】特開２０１５−３６５９３号公報
【発明の概要】
【発明が解決しようとする課題】
【０００６】
しかしながら、操作つまみは、押込操作によって、バーナの点火時にはコンロ本体の前面よりも後方に押し込まれた後、待機位置を経て操作位置に移動し、消火時には操作位置から待機位置を経てコンロ本体の前面よりも後方に押し込まれる。待機位置の通過時、例えば誤操作によりロック部が間隙内に挿入された場合、操作つまみが待機位置から移動できなくなるので、バーナの点火又は消火を行うためにはチャイルドロックを解除する必要がある。操作つまみはバネにより突出する側に付勢されているので、バネの付勢力によってロック部が間隙の内面から押圧力を受けると、ロック部は動きにくくなる。チャイルドロックを解除するためには、ロック時よりも大きな力でロック部を動かす必要があった。
【０００７】
本発明の目的は、誤操作により操作部がロックされても容易に解除することができるガスコンロを提供することである。
【課題を解決するための手段】
【０００８】
本発明の請求項１に係る発明のガスコンロは、バーナが設けられる筐体と、前記バーナに供給するガスが流通するガス流路、前記ガス流路を開閉する開閉弁、前記ガス流路を流通するガスの流量を調節する調節弁、及び、前記開閉弁の開閉操作と前記調節弁の調節操作を行う操作部を備え、前記筐体内の前部に配置される燃料供給装置と、前記操作部に対する操作の規制と解除を行うロック部材と、を備えたガスコンロであって、前記燃料供給装置の前記操作部は、回動操作によって前記調節弁を操作可能であり、１以上の付勢部材によって前方に付勢される操作つまみと、前記操作つまみが前記筐体の前面よりも後方に押し込まれる押込操作がなされる度に、前記操作つまみが前記筐体の前面に対して突出する操作位置と、前記操作つまみの先端面が前記操作位置よりも前記筐体の前面の近くに位置する待機位置との間で、前記操作つまみを交互に移動させる機構であって、前記操作つまみが前記待機位置にあるときに前記押込操作がなされた場合には、前記筐体の前面より後方に押し込まれた状態になった前記操作つまみを前記付勢部材により前方に付勢し、前記待機位置を経由して前記操作位置に移動させ、前記操作つまみが前記操作位置にあるときに前記押込操作がなされた場合には、前記待機位置を経由して前記筐体の前面より後方に押し込まれた状態になった前記操作つまみを前記付勢部材により前方に付勢し、前記待機位置に移動させるプッシュ・プッシュ機構と、前記プッシュ・プッシュ機構に連動し、前記操作つまみが前記待機位置にある場合は、前記開閉弁が前記ガス流路を閉鎖した状態を維持し、前記操作位置にある場合には、前記開閉弁が前記ガス流路を開放した状態に維持する弁開閉機構と、を備え、前記操作部は、前記操作つまみよりも小径で前後方向に延び、前記操作つまみを先端部に保持し、且つ前記操作つまみと共に前後方向に移動する軸部と、前記操作つまみよりも後方で前記軸部の周方向の少なくとも一部にて径方向外向きに張り出して設けられ、前記軸部と共に前後方向に移動し、且つ前記操作つまみとの間に間隙を形成する張出部と、を備え、前記ロック部材は、前記ロック部材を前後方向と直交する移動方向に移動する操作を行う移動部と、前後方向において前記操作つまみが前記待機位置に位置する場合の前記間隙の位置に配置され、且つ前後方向の大きさが前記間隙の大きさよりも小さなロック部と、を備え、前記操作つまみが前記待機位置にある場合に、前記移動部の操作によって移動方向一方側の解除位置から移動方向他方側のロック位置に移動可能であり、前記ロック部は、後面に、前記軸部に近い側が遠い側よりも前方に位置する逃し傾斜面を有し、前記ロック部材が前記ロック位置に位置する場合は、前記軸部に接近して前記張出部よりも前記軸部の径方向内側に位置し、且つ前記間隙内に進入した状態であり、前記ロック部材が前記解除位置に位置する場合は、前記軸部から離間して前記張出部よりも前記軸部の径方向外側に位置し、且つ前記間隙内から離脱した状態であることを特徴とする。
【０００９】
請求項２に係る発明のガスコンロは、請求項１に記載の発明の構成に加え、前記操作つまみが前記操作位置にある場合、前記張出部は、移動方向において前記ロック部と前記軸部との間に位置することを特徴とする。
【００１０】
請求項３に係る発明のガスコンロは、請求項１又は２に記載の発明の構成に加え、前記張出部は、前面に、前記軸部に近い側が遠い側よりも前方に位置する押出し傾斜面を有し、前記ロック部が前記間隙内に位置する場合、前記押出し傾斜面は前記逃し傾斜面に対向することを特徴とする。
【００１１】
請求項４に係る発明のガスコンロは、請求項１から３のいずれかに記載の発明の構成に加え、前記燃料供給装置は複数あり、前記筐体の前部にて左右に並べて配置した場合において、前記ロック部材は左右方向に移動可能に設けられ、隣り合う前記燃料供給装置の夫々の前記間隙に対応する２つの前記ロック部を備えたことを特徴とする。
【発明の効果】
【００１２】
請求項１に係る発明のガスコンロによれば、バーナの点火時、操作つまみは、押込操作によって待機位置から筐体の前面よりも後方に押し込まれた後、待機位置を経て操作位置に移動する。バーナの消火時、操作つまみは、押込操作によって操作位置から待機位置を経て筐体の前面よりも後方に押し込まれた後、待機位置に移動する。待機位置を通過するとき、ロック部材の操作によって、操作部の間隙にロック部が挿入される可能性がある。操作つまみは１以上の付勢部材によって前方に付勢されており、張出部の前面でロック部を押圧する。ロック部は、後面に逃し傾斜面を有する。張出部の前面が逃し傾斜面を前方に押圧すると、その分力によって、ロック部材を解除位置へ向けて移動する応力がロック部に作用する。これにより、ロック部材はロック位置から解除位置に移動しやすくなるので、ロック部が間隙内から離脱し、操作つまみがロックされた状態から移動できるようになる。よって、ガスコンロは、誤操作によりロック部が間隙内に挿入され、操作部がロックされても、容易にロックを解除することができる。また、ロック部材は、例えば子どものいたずらによる操作が容易とならないように、移動方向への移動に負荷をかける場合がある。この場合、張出部が逃し傾斜面を押圧する分力がロック部材に作用しても、ロック部材が解除位置へ移動しない可能性がある。しかし、ロック部材に、解除位置へ向かう方向の応力が働くことによって、ロック部材を手動でロック位置から解除位置に容易に移動させることができ、ロック状態を解除することができる。
【００１３】
請求項２に係る発明のガスコンロによれば、請求項１に記載の発明の効果に加え、操作つまみが操作位置にある場合に、張出部は操作つまみ及び軸部と共に前後方向に移動し、ロック部と軸部の間に位置する。即ち、操作つまみと張出部の間隙は、ロック部の移動方向にない。このため、ロック部材がロック位置に移動しようとしても、ロック部は張出部に当接して軸部に接近できず、間隙内に移動することもできない。故にガスコンロは、操作つまみが操作位置にありバーナが燃焼しているときに、誤操作等により、ロック部材がロック位置に移動することを防止できる。
【００１４】
請求項３に係る発明のガスコンロによれば、請求項１又は２に記載の発明の効果に加え、張出部の前面に押出し傾斜面を設けることで、張出部からロック部に効率よく押圧力を加えることができ、ロック部材にかかる解除位置へ向かう方向の応力を、より大きくすることができる。これにより、ロック部材はロック位置から解除位置に、より移動しやすくなる。また、ロック部材を手動でロック位置から解除位置に移動させる場合でも、より小さい力で、ロック部材を解除位置に移動させることができる。
【００１５】
請求項４に係る発明のガスコンロによれば、請求項１から３のいずれかに記載の発明の効果に加え、ロック部材は２つのロック部を備え、夫々のロック部は、２つの燃料供給装置の夫々の間隙に対応する。故に、２つのロック部が夫々の対応する間隙内に進入するには、２つの燃料供給装置の操作つまみが夫々の待機位置に位置する必要がある。即ち、一方のバーナが使用中の場合、そのバーナに対応する燃料供給装置の操作つまみは操作位置にあり、間隙内にロック部を挿入できないので、ロック部材をロック位置に移動できない。よってガスコンロは、誤操作によりロック部が間隙内に挿入され、操作部がロックされてしまう可能性を減らすことができる。
【００１６】
なお、本発明は、請求項１から４の夫々の発明特定事項を任意に組み合わせてもよい。
【図面の簡単な説明】
【００１７】
【図１】ガスコンロ１の斜視図である。
【図２】燃料供給装置２０と操作つまみ１４の斜視図である。
【図３】燃料供給装置２０と操作つまみ１４の断面図である。
【図４】操作部２１を前方左斜め下方から見た斜視図である。
【図５】プッシュ・プッシュ機構２４の動作を説明するための図である。
【図６】パネル装置９Ｂの分解斜視図である。
【図７】ロック部材６０を後方右斜め上方から見た斜視図である。
【図８】操作つまみ１４が待機位置にあるときの操作部２１を後方左斜め上方から見た図である。
【図９】操作つまみ１４が操作位置にあるときの操作部２１を後方左斜め上方から見た図である。
【図１０】操作つまみ１４が待機位置から操作位置に移動するときの操作部２１を後方左斜め上方から見た図である。
【発明を実施するための形態】
【００１８】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１９】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置（図示略）の排気口７が設けられる。
【００２０】
ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００２１】
図２〜図５を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００２２】
図２〜図４に示すように、燃料供給装置２０は、操作つまみ１４の押込操作と回動操作により、左バーナ５の点火と消火、及び左バーナ５に供給するガス量の調節を行う装置である。押込操作は、操作つまみ１４の前面を後方へ押圧し、ガスコンロ１の前面よりも奥側に押し込む操作である。回動操作は、操作つまみ１４の側面を把持し、前後方向の軸（軸心ＡＸ）を中心に回転する操作である。燃料供給装置２０は、操作部２１、ガス流路部２２、火力調節カム２６、流量調節部３１等を備える。
【００２３】
操作部２１は操作つまみ１４、プッシュ・プッシュ機構２４、連結部材２５、中火ガイド９０を備える。連結部材２５と中火ガイド９０は後述する。操作つまみ１４は略円柱状に形成される。操作つまみ１４は、ガスコンロ１の後方へ向けて押し込む押込操作が行われる度に、待機位置から第一押込位置を経て操作位置に移動する動作と、操作位置から第二押込位置を経て待機位置に移動する動作とを交互に行う。図５（Ａ）に示すように、待機位置は、操作つまみ１４の先端面が、筐体２の前面Ｆ（パネル装置９Ｂの前面）とほぼ面一となる位置である。待機位置において、操作つまみ１４の先端面は、筐体２の前面Ｆよりも僅かに後側に位置してもよいし、僅かに前側に位置してもよい。なお、図２〜図４に示す燃料供給装置２０は、操作つまみ１４が待機位置に位置する。
【００２４】
図５（Ｂ）に示すように、第一押込位置は、操作つまみ１４の先端面が、筐体２の前面Ｆよりも後方に押し込まれた位置である。操作つまみ１４は、第一押込位置において待機位置よりも後方に位置する。図５（Ｃ）に示すように、操作位置は、操作つまみ１４の先端面が、筐体２の前面Ｆに対して突出する位置である。操作つまみ１４は、操作位置において待機位置よりも前方に位置する。操作位置にあるとき、操作つまみ１４は、前後方向に沿う軸心ＡＸを中心に回転可能（回動操作可能）である。図５（Ｄ）に示すように、第二押込位置は、操作つまみ１４の先端面が、筐体２の前面Ｆよりも後方に押し込まれた位置である。操作つまみ１４は、第二押込位置において、待機位置よりも後方且つ第一押込位置よりも前方に位置する。
【００２５】
図３に示すように、プッシュ・プッシュ機構２４は、操作つまみ１４を待機位置、第一押込位置、操作位置、第二押込位置の各位置において位置決めし、各位置に応じて後述するメイン弁３９を開放状態又は閉鎖状態に維持する。プッシュ・プッシュ機構２４の内部には、操作つまみ１４の押込操作に合わせて前後方向に移動する２つのスライダ４０、４１と、スライダ４０、４１を夫々前方へ向けて付勢するバネ４２、４３が設けられる。スライダ４０、４１には夫々、カム機構４４、４５が設けられる。なお、カム機構４４、４５は何れも周知のものであるので、動作の詳細な説明は省略する。
【００２６】
スライダ４０は、操作つまみ１４が押込操作される度に、カム機構４４によって、操作つまみ１４を待機位置から第一押込位置を経て操作位置に移動する動作と、操作位置から第二押込位置を経て待機位置に移動する動作とを繰り返す。スライダ４１はスライダ４０と連動し、操作つまみ１４が待機位置から第一押込位置に移動するときにメイン弁３９と安全弁４８を後方に押圧することで開放し、且つカム機構４５によって、メイン弁３９を開放状態に維持する。また、スライダ４１は、操作つまみ１４が操作位置から第二押込位置を経て待機位置に移動するときに、メイン弁３９の押圧状態を解除する。
【００２７】
ガス流路部２２は、プッシュ・プッシュ機構２４の後側に連結される。ガス流路部２２の内部には第一ガス通路４６が形成される。第一ガス通路４６は、下部に開口する導入口２３に接続するガス供給管（図示略）から供給されるガスを、流量調節部３１に流通する。第一ガス通路４６にはメイン弁３９と安全弁４８が設けられる。メイン弁３９は、バネ４７によって第一ガス通路４６を閉じる閉状態に弾性付勢される。上記したように、メイン弁３９は、操作つまみ１４の押込操作に応じて移動するスライダ４０に連動するスライダ４１によって押圧されると、第一ガス通路４６を開放する。また、メイン弁３９は、スライダ４１による押圧が解除されると、バネ４７により、第一ガス通路４６を閉鎖する。安全弁４８は、バネ４９によって第一ガス通路４６を閉じる閉状態に弾性付勢された電磁操作式の弁である。安全弁４８は、操作つまみ１４の押込操作に応じて移動するスライダ４０に連動するスライダ４１によってメイン弁３９とともに押圧されると、第一ガス通路４６を開放する。安全弁４８は電磁操作式の弁であり、スライダ４１によって開放されたときに、ガスコンロ１の制御装置（図示略）によって開放状態に維持される。なお、制御装置は、メイン弁３９の閉鎖によって左バーナ５が消火すると、安全弁４８の開放状態を解除する。この場合、安全弁４８は、バネ４９によって第一ガス通路４６を閉鎖する。
【００２８】
図２〜図４に示すように、流量調節部３１はプッシュ・プッシュ機構２４とガス流路部２２の上部に設けられる。流量調節部３１の内部には第二ガス通路１９（図３参照）が形成される。第二ガス通路１９は、ガス流路部２２から供給されるガスを流通し、上部に開口する流出口３２に接続されるガス供給管（図示略）を介して左バーナ５に供給する。流量調節部３１の前端部には第二ガス通路１９に連通する穴部３０が形成され、ニードル弁２８が挿入される。ニードル弁２８は、前端部側が穴部３０から外部に露出され、後端部側が第二ガス通路１９内において前後方向に移動可能に配置される。ニードル弁２８の前端部には、上下方向に延びるピン２９が設けられる。
【００２９】
火力調節カム２６は略半円筒状に形成され、プッシュ・プッシュ機構２４の前端側上部を覆うようにして、軸心ＡＸの回りを回転可能に設けられる。火力調節カム２６は、前後方向への移動が規制される。火力調節カム２６の外周部には、カム溝２７が設けられる。カム溝２７は、軸心ＡＸを中心とする螺旋状に形成される。カム溝２７にはニードル弁２８に設けられたピン２９の下端部が係合する。火力調節カム２６が回転すると、カム溝２７がピン２９を案内し、ニードル弁２８を前後方向に移動する。
【００３０】
火力調節カム２６は前方に延びる延伸部３４を備え、延伸部３４の前端部分に内向きに突出する歯部３５を有する。歯部３５は操作つまみ１４が操作位置（図５（Ｃ）参照）にあるときに連結部材２５の歯部３８（後述）に噛合し、連結部材２５を介して火力調節カム２６を操作つまみ１４と共に軸心ＡＸを中心に回転する。延伸部３４は、途中で狭窄するテーパ部３４Ａを備える。操作つまみ１４に対する押込操作がなされるときに、テーパ部３４Ａは中火ガイド９０に係合し、中火ガイド９０を回転する。
【００３１】
火力調節カム２６の延伸部３４の外周面には、略半円筒状のＬＥＤ操作部材３６が固定される。ＬＥＤ操作部材３６は、化粧パネル８０（図６参照）の火力表示部材（図示略）に連結する。火力表示部材は、ＬＥＤ光の遮蔽によって火力表示を行う。ＬＥＤ操作部材３６は火力調節カム２６と共に軸心ＡＸを中心に回転し、火力表示部材による火力の表示をガスの流量に応じて行う。ＬＥＤ操作部材３６は、下面に、前方から後方へ向けて狭窄する溝部３６Ａを有する。
【００３２】
操作部２１の連結部材２５は、プッシュ・プッシュ機構２４のスライダ４０から前方に延び、軸心ＡＸを軸とする軸体３７に係合する。連結部材２５は軸体３７の前端部に保持され、軸心ＡＸを中心に軸体３７の周囲を回転可能な状態で、スライダ４０と共に前後方向へ移動可能に設けられる。操作つまみ１４は連結部材２５の先端部２５Ａに保持され、連結部材２５と共に前後方向へ移動可能、且つ軸心ＡＸを中心に回転可能に設けられる。連結部材２５は、後端部外周面に、火力調節カム２６の歯部３５に噛合する歯部３８を有する。操作つまみ１４が操作位置にあるとき、連結部材２５の歯部３８は火力調節カム２６の歯部３５と噛合し、操作つまみ１４と火力調節カム２６を連結する。操作つまみ１４が操作位置にない場合には、火力調節カム２６の歯部３５は連結部材２５の歯部３８の前方に位置して噛合せず、操作つまみ１４と火力調節カム２６の連結状態を解除する。
【００３３】
中火ガイド９０は連結部材２５の後側に配置される。中火ガイド９０はスライダ４０の軸体３７に固定されて、スライダ４０と共に前後方向へ移動可能に設けられる。中火ガイド９０は、固定部９１、半鍔部９２、案内部９３を有する。固定部９１は筒状を呈し、中火ガイド９０を軸体３７に固定する。半鍔部９２は固定部９１の前端部のうち下側の部分から径方向外向きに鍔状に突出する。連結部材２５は半鍔部９２の前面に対して回転可能に設けられる。
【００３４】
案内部９３は略筒状を呈し、下側部分の後端部内面が半鍔部９２の外周部分に接続する。即ち案内部９３は、連結部材２５の径方向外側に張り出して設けられる。案内部９３は、操作つまみ１４との間に前後方向の間隙Ｇを有して配置される。案内部９３の上側部分は下側部分よりも大径に設けられ、後端部内面と固定部９１の前端部のうち上側の部分との間に開口部９４が形成される。開口部９４には、火力調節カム２６の延伸部３４が挿通される。下側部分の内径は、連結部材２５の歯部３８の最大径よりも大きい。また、案内部９３の上側部分の上面には、案内突起９５が設けられる。案内突起９５は、ＬＥＤ操作部材３６の下面に設けられる溝部３６Ａに係合する。
【００３５】
また、図４に示すように、案内部９３の下側部分の左下角部には、左斜め下方に突出する傾斜部９６が設けられる。傾斜部９６には、前方左斜め下方を向く傾斜面９７が形成される。なお、傾斜部９６は左右対称に設けられ、右下角部にも同様のものが形成される。
【００３６】
次に、操作つまみ１４の回動操作による点火及び消火と火力の調節について説明する。図２〜図４に示すように、左バーナ５の消火時、操作つまみ１４は、待機位置にある。点火時、ユーザは操作つまみ１４に対する押込操作を行う。操作つまみ１４が待機位置から第一押込位置に移動する過程で、安全弁４８とメイン弁３９は開放される。また、左バーナ５はイグナイタ（図示略）によって点火される。中火ガイド９０は、火力調節カム２６の延伸部３４のテーパ部３４Ａを開口部９４の縁部で押圧することによって、火力調節カム２６を左右の略中央の位置に回動する。また、案内突起９５は、ＬＥＤ操作部材３６の溝部３６Ａを押圧することによって、火力調節カム２６が左右の略中央の位置に回動するように、火力調節カム２６の回動を補助する。これにより、ガスの流量が中火相当となる位置にニードル弁２８が移動するので、左バーナ５には点火に十分な量のガスが供給され、且つ点火時の炎あふれが防止される。
【００３７】
ユーザが操作つまみ１４から手を離すと、操作つまみ１４はスライダ４０のバネ４２の付勢力により、第一押込位置から操作位置に移動する。メイン弁３９はスライダ４１により開放状態に維持される。安全弁４８は制御装置によって電磁操作され、開放状態に維持される。連結部材２５の歯部３８と火力調節カム２６の歯部３５が噛合することで、操作つまみ１４は火力調節カム２６に連結する。
【００３８】
操作つまみ１４が操作位置にある状態で操作つまみ１４が回動操作されると、火力調節カム２６は操作つまみ１４と共に軸心ＡＸの回りを回転する。火力調節カム２６が回転すると、ニードル弁２８のピン２９がカム溝２７に案内されて、前後方向に移動する。これにより、ニードル弁２８が前後方向に移動するので、ニードル弁２８の位置に応じて第二ガス通路を流通するガスの流量が調節され、左バーナ５の火力が変更される。
【００３９】
消火時、ユーザは操作つまみ１４に対する押込操作を行う。操作つまみ１４が操作位置から第二押込位置に移動する過程で、連結部材２５と火力調節カム２６の噛合状態は解除される。よって、押込操作の過程で操作つまみ１４が回転しても、火力調節カム２６は回動しない。
【００４０】
ユーザが操作つまみ１４から手を離すと、スライダ４１による押圧状態が解除されるので、メイン弁３９はバネ４７の付勢力により閉鎖される。また、操作つまみ１４は、スライダ４０のバネ４２と、スライダ４１のバネ４３と、メイン弁３９のバネ４７の付勢力により、第二押込位置から待機位置に移動する。なお、操作つまみ１４が第二押込位置から待機位置に移動する途中でメイン弁３９が閉鎖状態となるので、バネ４７の付勢力は、操作つまみ１４が第二押込位置から待機位置に移動する途中でなくなる。メイン弁３９の閉鎖によって左バーナ５が消火されると、制御装置が安全弁４８の電磁操作を解除するので、安全弁４８は、バネ４９の付勢力によって閉鎖される。
【００４１】
このように、燃料供給装置２０は、操作つまみ１４に対する押込操作がなされる度に、点火と消火を繰り返して行う。右バーナ４、奥バーナ６に夫々対応する操作つまみ１１、１３についても同様である。また、グリル装置の燃料供給装置は、操作つまみ１２の回転位置に応じてオン・オフが切り替わる複数のスイッチ（図示略）を備える。グリル装置の流量調節部は、複数のスイッチのオン・オフの状態に応じて複数の電磁弁の開閉状態を切り替えることによって、グリルバーナの火力調節を行う。グリルバーナの点火と消火が操作つまみ１２に対する押込操作によって行われる点は、右バーナ４、左バーナ５、奥バーナ６の燃料供給装置２０と同様である。
【００４２】
ガスコンロ１は、操作つまみ１１〜１４に対する誤操作や子どものいたずら等による意図しないバーナの点火を防止するため、操作つまみ１１〜１４が待機位置にあるときに押込操作ができないようにするチャイルドロック機能を備える。チャイルドロック機能は、筐体２の前部に取り付けるパネル装置９Ａ、９Ｂに設けられロック部材６０によって行われる。
【００４３】
図１に示すように、ガスコンロ１は、グリル扉８の右側の領域に、右バーナ４とグリル装置の火力表示を行うパネル装置９Ａを備え、グリル扉８の左側の領域に、左バーナ５と奥バーナ６の火力表示を行うパネル装置９Ｂを備える。
【００４４】
図６、図７を参照し、パネル装置９Ｂについて説明する。なお、パネル装置９Ａにおけるチャイルドロック機能のための構成は、パネル装置９Ｂにおけるチャイルドロック機能のための構成と同じである。よって、パネル装置９Ａの構成は、パネル装置９Ｂの構成に準ずるものとして、説明を省略する。
【００４５】
パネル装置９Ｂは、パネル本体部５０、化粧パネル８０、ロック部材６０を備える。パネル本体部５０は、筐体２の前端部に組み付けられる。図６に示すように、パネル本体部５０の下側部分５１は箱型に形成され、操作パネル（図示略）が収容される。パネル本体部５０の上側部分５２は、下側部分５１から上方へ向けて板状に突出する。上側部分５２には、前後方向に貫通する２つの貫通穴５３が左右方向に並んで形成される。貫通穴５３の内径は、操作つまみ１３、１４の外径より大きい。左バーナ５と奥バーナ６の燃料供給装置２０は、左右に並べた状態で、取付金具３３を用い、パネル本体部５０の上側部分５２に後側から螺子で固定される。２つの燃料供給装置２０の連結部材２５と操作つまみ１３、１４は、夫々、２つの貫通穴５３内に配置される。
【００４６】
上側部分５２の後面には、火力表示を行う複数のＬＥＤを搭載した電子基板（図示略）が設けられる。ＬＥＤは２つの貫通穴５３の上側外周部分に円弧状に並んで配置される。ＬＥＤ操作部材３６に係合する火力表示部材はＬＥＤの前側に配置され、操作つまみ１３、１４の回転に応じてＬＥＤ光を部分的に遮蔽し火力表示を行う。
【００４７】
化粧パネル８０は、パネル本体部５０の上側部分５２の前側に組み付けられる板状体である。化粧パネル８０は正面視略長方形状であり、上端部にスライドロック８５を備える。化粧パネル８０をパネル本体部５０の上側部分５２に組み付けたとき、スライドロック８５を右側にスライドすると、化粧パネル８０がパネル本体部５０に固定される。化粧パネル８０には、前後方向に貫通し、左右方向に並ぶ２つの開口部８６が形成される。２つの開口部８６の内径は、夫々、操作つまみ１３、１４の外径より大きい。２つの開口部８６内には夫々、操作つまみ１３、１４が配置される。２つの開口部８６夫々の上側外周部分には、ＬＥＤ光を透過する透光部８７が設けられる。透光部８７は、火力表示部材によって遮蔽されなかった部分はＬＥＤ光によって明るく光り、遮蔽された部分は暗くなることによって火力を表示する。化粧パネル８０の下部で２つの開口部８６の間には、化粧パネル８０を前後方向に貫通し、左右方向に長円状に延びる長穴８８が形成される。
【００４８】
ロック部材６０は、パネル本体部５０の下側部分５１の上壁上に配置され、左右方向にスライド可能に設けられる。ロック部材６０は、土台部６１、レバー６２、ロック部６６を備える。土台部６１は、平面視略長方形状で左右方向に長い板状を呈し、下面に、左右方向に延びる４本のリブ６３を有する。ロック部材６０は、リブ６３によって、下側部分５１の上壁上面との接触面積を小さくすることができ、容易にスライドできる。レバー６２は土台部６１の前面中央に設けられ、前方に突出する。レバー６２は、化粧パネル８０下部の長穴８８に後側から挿入され、先端部が前面Ｆよりも前方に突出する。ユーザはレバー６２を操作し、ロック部材６０をロック位置と解除位置に移動することができる。ロック位置は、レバー６２が長穴８８の右端に位置し、ロック部材６０がチャイルドロックを機能させ、操作つまみ１４を移動できなくする位置である。解除位置は、レバー６２が長穴８８の左端に位置し、ロック部材６０がチャイルドロックを機能させず、操作つまみ１４が移動可能となる位置である。
【００４９】
ロック部６６は二組設けられ、土台部６１の左右両端において夫々上方に突出する。ロック部６６の前後方向の大きさＷは、中火ガイド９０と操作つまみ１４の前後方向の間隙Ｇよりも小さい。ロック部６６の上部には、右斜め上方を向く斜面６５が形成される。更に、斜面６５の上部には、連結部材２５の外径よりも曲率が大きな円弧形状の弧面６４が形成される。ロック部材６０と燃料供給装置２０がパネル本体部５０に組み付けられた状態で、斜面６５の上部と弧面６４は、上下方向において、操作つまみ１４と中火ガイド９０の下端位置よりも上方に位置する。また、ロック部６６には、斜面６５と弧面６４の後端に接続し、後方右斜め上方を向く傾斜面６７が形成される。傾斜面６７の後側にはロック部６６を支えるリブ６９が設けられる。そして、ロック部６６の前面６８は、前方を向く。
【００５０】
次に、図５、図８〜図１０を参照し、ロック部材６０の動作を説明する。なお、以下説明では、便宜上、奥バーナ６の操作つまみ１３は待機位置にあるものとする。図８（Ａ）に示すように、ロック部材６０が左右方向の左端の解除位置に位置するとき、ロック部６６は、操作つまみ１４よりも左方に位置する。操作つまみ１４とロック部６６は前後方向に重ならない。よって、操作つまみ１４に対する押込操作が行われた場合、操作つまみ１４はロック部６６に接触せず、第一押込位置に移動することができる。
【００５１】
図５（Ａ）に示すように、操作つまみ１４が待機位置にあるとき、ロック部６６は、前後方向において、操作つまみ１４と中火ガイド９０の間隙Ｇ内に位置する。前述したように、ロック部６６の前後方向の大きさＷは、間隙Ｇの大きさより小さい。故に操作つまみ１４が待機位置にあるとき、図８（Ｂ）に示すように、ユーザがロック部材６０のレバー６２を操作すると、矢印Ｍ１で示すように、ロック部材６０は右方のロック位置に移動し、チャイルドロックを機能させることができる。ロック部６６はロック位置において、前後方向において操作つまみ１４と重なる。この状態で操作つまみ１４に対する押込操作が行われても、操作つまみ１４の後面がロック部６６の前面６８に当接して移動が規制されるため、操作つまみ１４は第一押込位置に移動できない。
【００５２】
図５（Ｂ）に示すように、点火時に、操作つまみ１４は押込操作によって待機位置から第一押込位置に押し込まれる。操作つまみ１４が第一押込位置にあるとき、ロック部６６は、前後方向において、操作つまみ１４の側方に位置する。故にユーザがロック部材６０を解除位置からロック位置に移動させようとしても、ロック部６６は操作つまみ１４の側面に当接して移動が規制される。ロック部６６がロック位置に移動することができないので、チャイルドロックは機能しない。
【００５３】
図９（Ａ）に示すように、ユーザが押込操作をやめて操作つまみ１４から手を離すと、矢印Ｍ２で示すように、操作つまみ１４は第一押込位置から操作位置に移動する。図５（Ｃ）に示すように、操作つまみ１４が操作位置にあるとき、ロック部６６は、前後方向において、中火ガイド９０の側方に位置する。よって操作つまみ１４が操作位置にあるとき、図９（Ｂ）に示すように、ユーザがロック部材６０を解除位置からロック位置に移動させようとしても、ロック部６６は中火ガイド９０の側面に当接して移動が規制される。なお、図９（Ｂ）では、ロック部６６の前後方向の位置と、中火ガイド９０の傾斜部９６の前後方向の位置とが重なる様子を二点鎖線で示す。ロック部６６がロック位置に移動することができないので、チャイルドロックは機能しない。ユーザは、操作つまみ１４の回動操作を行い、左バーナ５の火力を調節できる。
【００５４】
図５（Ｄ）に示すように、消火時に、操作つまみ１４は押込操作によって操作位置から第二押込位置に押し込まれる。操作つまみ１４が第二押込位置にあるとき、ロック部６６は、前後方向において、操作つまみ１４の側方に位置する。故に操作つまみ１４が第二押込位置にあるとき、ユーザがロック部材６０を解除位置からロック位置に移動させようとしても、ロック部６６は操作つまみ１４の側面に当接して移動が規制される。ロック部６６がロック位置に移動することができないので、チャイルドロックは機能しない。ユーザが押込操作をやめて操作つまみ１４から手を離すと、操作つまみ１４は第二押込位置から待機位置に移動する。操作つまみ１４が待機位置に移動すれば、上記したように、ユーザはレバー６２を操作し、チャイルドロックを機能させることができる。
【００５５】
ところで、点火時に、操作つまみ１４が押込操作によって待機位置から第一押込位置に押し込まれた後、バネ４２の付勢力により第一押込位置から操作位置に移動する過程で、操作つまみ１４は待機位置を通過する。また、消火時に、操作つまみ１４が押込操作によって操作位置から第二押込位置に移動する過程で、操作つまみ１４は待機位置を通過する。図５（Ａ）に示すように、操作つまみ１４が待機位置を通過するとき、ロック部６６は、前後方向において、操作つまみ１４と中火ガイド９０の間隙Ｇ内に位置する。故に図１０（Ａ）に示すように、操作つまみ１４が待機位置を通過するとき、誤操作やいたずら等によってロック部材６０のレバー６２が操作された場合、ロック部材６０は、矢印Ｍ３で示すように、解除位置からロック位置に移動することができる。ロック部６６が間隙Ｇ内に進入するため、特に消火時においては、操作つまみ１４を第二押込位置に押し込むことが一時的にできなくなる。
【００５６】
この場合、図１０（Ｂ）に示すように、点火時であれば、矢印Ｍ４に示すように、中火ガイド９０がバネ４２の付勢力で操作つまみ１４と共に前方へ移動しようとする。また、消火時であれば、ユーザが操作つまみ１４の押込操作を取りやめることで、点火時と同様に、中火ガイド９０がバネ４２の付勢力で、矢印Ｍ４に示すように、操作つまみ１４と共に前方へ移動しようとする。中火ガイド９０が前方へ移動することによって、中火ガイド９０の傾斜部９６の傾斜面９７が、ロック部材６０のロック部６６の傾斜面６７に当接する。中火ガイド９０が、前方左斜め下方を向く傾斜面９７で、後方右斜め上方を向く傾斜面６７を前方に押圧することで生じた分力によって、ロック部６６は、矢印Ｍ５で示すように、左方に押圧される。これにより、ロック部材６０はロック位置から解除位置に移動するので、チャイルドロックが解除され、ユーザは、点火動作又は消火動作を再び行えるようになる。
【００５７】
なお、ロック部材６０は、いたずらによる操作の抑制のため、左右方向への移動において負荷が付与される場合がある。この場合、バネ４２の付勢力の分力だけでは、ロック部材６０が左方に移動しない可能性がある。しかし、バネ４２の付勢力の分力がロック部材６０にロック位置から解除位置へ向けて移動する押圧力を加えた状態となるため、ロック部材６０に付与された負荷は軽減される。従って、ユーザはロック部材６０のレバー６２を、より軽い負荷で操作でき、チャイルドロックを容易に解除し、点火動作又は消火動作を再び行うことができる。
【００５８】
上記説明では操作つまみ１４の位置に応じたロック部材６０の動作について説明したが、ロック部材６０は、操作つまみ１１〜１３の位置に応じて同様に動作する。特に、操作つまみ１３に対する押込動作を規制するロック部６６と、操作つまみ１４に対する押込動作を規制するロック部６６は、１つのロック部材６０において組をなして設けられている。従って、２つのロック部６６が夫々の対応する間隙Ｇ内に進入するには、操作つまみ１３と操作つまみ１４が共に待機位置に位置する必要がある。よって、一方の操作つまみが例えば操作位置にある場合、他方の操作つまみに対する押込操作の過程で、誤操作やいたずら等が行われても、ロック部材６０がロック位置に移動することはできない。
【００５９】
以上説明したように、バーナの点火時、操作つまみ１４は、押込操作によって待機位置から第一押込位置に押し込まれた後、待機位置を経て操作位置に移動する。バーナの消火時、操作つまみ１４は、押込操作によって操作位置から待機位置を経て第二押込位置に押し込まれた後、待機位置に移動する。待機位置を通過するとき、ロック部材６０の操作によって、操作部２１の間隙Ｇにロック部６６が挿入される可能性がある。操作つまみ１４はバネ４２によって前方に付勢されており、中火ガイド９０がロック部６６を押圧する。ロック部６６は、後面に傾斜面６７を有する。中火ガイド９０が傾斜面６７を前方に押圧すると、その分力によって、ロック部材６０を解除位置へ向けて移動する応力がロック部６６に作用する。これにより、ロック部材６０はロック位置から解除位置に移動しやすくなるので、ロック部６６が間隙Ｇ内から離脱し、操作つまみ１４がロックされた状態から移動できるようになる。よって、ガスコンロ１は、誤操作によりロック部６６が間隙Ｇ内に挿入され、操作部２１がロックされても、容易にロックを解除することができる。また、ロック部材６０は、例えば子どものいたずらによる操作が容易とならないように、移動方向への移動に負荷をかける場合がある。この場合、中火ガイド９０が傾斜面６７を押圧する分力がロック部材６０に作用しても、ロック部材６０が解除位置へ移動しない可能性がある。しかし、ロック部材６０に、解除位置へ向かう方向の応力が働くことによって、ロック部材６０を手動でロック位置から解除位置に容易に移動させることができ、ロック状態を解除することができる。
【００６０】
操作つまみ１４が操作位置にある場合に、中火ガイド９０は操作つまみ１４及び連結部材２５と共に前後方向に移動し、ロック部６６と連結部材２５の間に位置する。即ち、操作つまみ１４と中火ガイド９０の間隙Ｇは、ロック部６６の移動方向にない。このため、ロック部材６０がロック位置に移動しようとしても、ロック部６６は中火ガイド９０に当接して連結部材２５に接近できず、間隙Ｇ内に移動することもできない。故にガスコンロ１は、操作つまみ１４が操作位置にありバーナが燃焼しているときに、誤操作等により、ロック部材６０がロック位置に移動することを防止できる。
【００６１】
中火ガイド９０の前面に傾斜面９７を設けることで、中火ガイド９０からロック部６６に効率よく押圧力を加えることができ、ロック部材６０にかかる解除位置へ向かう方向の応力を、より大きくすることができる。これにより、ロック部材６０はロック位置から解除位置に、より移動しやすくなる。また、ロック部材６０を手動でロック位置から解除位置に移動させる場合でも、より小さい力で、ロック部材６０を解除位置に移動させることができる。
【００６２】
ロック部材６０は２つのロック部６６を備え、夫々のロック部６６は、２つの燃料供給装置の夫々の間隙Ｇに対応する。故に、２つのロック部６６が夫々の対応する間隙Ｇ内に進入するには、２つの燃料供給装置の操作つまみが夫々の待機位置に位置する必要がある。即ち、一方のバーナが使用中の場合、そのバーナに対応する燃料供給装置の操作つまみは操作位置にあり、間隙Ｇ内にロック部６６を挿入できないので、ロック部材６０をロック位置に移動できない。よってガスコンロ１は、誤操作によりロック部６６が間隙Ｇ内に挿入され、操作部２１がロックされてしまう可能性を減らすことができる。
【００６３】
なお、本発明は上記実施形態に限定されるものではなく、種々の変更が可能である。本発明に係る張出部の一例として中火ガイド９０を説明したが、張出部は中火ガイド９０に限らない。例えば、グリルバーナ用の燃料供給装置の場合、点火時に中火に変更する部材は不要である。故に、単に軸部の周囲において張り出して設けられ、操作つまみ１２との間に間隙Ｇを形成する部材であればよい。
【００６４】
中火ガイド９０の傾斜面９７はなくてもよい。或いは、ロック部材６０の傾斜面６７はなくてもよい。傾斜面９７と傾斜面６７は、いずれか一方があればよい。ロック部材６０はロック部６６を二組備えるが、一組のみを備え、操作つまみ１１〜１４のチャイルドロックを夫々独立に機能させてもよい。操作つまみ１４が第一押込位置から操作位置へ移動するとき、又は操作位置から第二押込位置へ移動するときに、操作つまみ１４に加えられる付勢力はスライダ４０のバネ４２による付勢力であるが、その他のバネ等による付勢力も付与されてもよい。
【００６５】
ロック部材６０のレバー６２は、化粧パネル８０の長穴８８を介して筐体２の前面Ｆよりも前方に突出するが、これに限らず、先端部が前面Ｆよりも後方に位置し、例えば長穴８８内にあってもよい。また、レバー６２を、筐体２、パネル装置５０、化粧パネル８０、天板３等の正面側、天面側、側面側、底面側など、任意の部分において操作できるようにしてもよい。また、レバー６２は、非操作時に隠蔽できる構成としてもよい。例えば、レバー６２の先端部を下方に屈曲して設け、化粧パネル８０の底面においてレバー６２を操作できるようにする。この場合、パネル本体部５０の下側部分５１に設けられる操作パネル（図示略）を操作のために開いた場合にレバー６２を操作でき、操作パネルを閉じた場合（下側部分５１に収容した場合）には、レバー６２を操作パネルで下側から覆い隠すことができる。なお、化粧パネル８０の底面に凹部を形成し、レバー６２の先端部を凹部内に配置すれば、操作パネルの開閉に対してレバー６２が干渉することを防止できる。
【００６６】
上記説明において、右バーナ４、左バーナ５、奥バーナ６、グリルバーナが本発明の「バーナ」の一例である。第一ガス通路４６、第二ガス通路１９が本発明の「ガス流路」の一例である。メイン弁３９が本発明の「開閉弁」の一例である。ニードル弁２８が本発明の「調節弁」の一例である。バネ４２、４３、４７が本発明の「付勢部材」の一例である。ガス流路部２２が本発明の「弁開閉機構」の一例である。連結部材２５が本発明の「軸部」の一例である。中火ガイド９０が本発明の「張出部」の一例である。レバー６２が本発明の「移動部」の一例である。傾斜面６７が本発明の「逃し傾斜面」の一例である。傾斜面９７が本発明の「押出し傾斜面」の一例である。
【符号の説明】
【００６７】
１                                    ガスコンロ
２                                    筐体
４                                    右バーナ
５                                    左バーナ
６                                    奥バーナ
１１〜１４                            操作つまみ
１９                                  第二ガス通路
２０                                  燃料供給装置
２１                                  操作部
２２                                  ガス流路部
２４                                  プッシュ・プッシュ機構
２５                                  連結部材
２５Ａ                                先端部
２８                                  ニードル弁
３９                                  メイン弁
４２、４３、４７                      バネ
４６                                  第一ガス通路
６０                                  ロック部材
６２                                  レバー
６６                                  ロック部
６７                                  傾斜面
９０                                  中火ガイド
９７                                  傾斜面
Ｆ                                    前面
Ｇ                                    間隙
【図１】
2019039593.tif 000003
【図２】
2019039593.tif 000004
【図３】
2019039593.tif 000005
【図４】
2019039593.tif 000006
【図５】
2019039593.tif 000007
【図６】
2019039593.tif 000008
【図７】
2019039593.tif 000009
【図８】
2019039593.tif 000010
【図９】
2019039593.tif 000011
【図１０】
2019039593.tif 000012